(57)【特許請求の範囲】
【請求項１】
中央に設けられ、支持杆の長手方向に直交する方向に設けられた軸部を基点に上フック部に近づく方向へ折畳み可能な支持杆と、前記軸部の軸線方向に直交する方向に回動可能に垂直に設けられた掛支部と、前記支持杆の長手方向に間隔を開けて吊り下げられた複数のハンガーとを備えた折畳み式多連ハンガー具であって、
中央の前記掛支部が、その上方に上フック部を備え、その下方にグリップ兼用の下フック部を備えたことを特徴とする折畳み式多連ハンガー具。                          
【請求項２】
前記支持杆には、折り畳み状態で前記上フック部を逃がすための逃がし長孔が、長手方向に沿って形成されていることを特徴とする、請求項１記載の折畳み式多連ハンガー具。
【請求項３】
前記支持杆は、前記上フック部を挟んだ折り畳み状態で、前記上フック部を収納する収納空間を区画する前記上フック部側の面を有することを特徴とする、請求項１記載の折畳み式多連ハンガー具。
【請求項４】
前記上フック部と前記グリップ兼用の下フック部とは、同体化されていることを特徴とする、請求項１記載の折畳み式多連ハンガー具。
【請求項５】
前記上フック部と前記グリップ兼用の下フック部とは、同じ向きであることを特徴とする、請求項４記載の折畳み式多連ハンガー具。
【請求項６】
前記複数のハンガーは、前記支持杆に係止される基部と該基部に枢着された左右のアーム片を備え、該アーム片が水平位置に仮固定可能であり、且つ、上下方向に折り畳むことができるものであることを特徴とする、請求項１記載の折畳み式多連ハンガー具。
【請求項７】
前記複数のハンガーの前記基部の上部はＵ字状に形成され、その両先端が前記支持杆に形成された係止溝に係止可能であることを特徴とする、請求項６記載の折畳み式多連ハンガー具。
【請求項８】
前記複数のハンガーの前記基部に設けられた係止解除駒の先端部を、前記アーム片の基端部に係止させることにより、前記アーム片を水平位置に仮固定することを特徴とする、請求項６記載の折畳み式多連ハンガー具。
【発明の詳細な説明】
【技術分野】
【０００１】
本発明は、複数のハンガーを着脱可能に支持する折畳み式多連ハンガー具に関する。
【背景技術】
【０００２】
従来、複数のハンガーを着脱可能に支持する折畳み式多連ハンガー具の例として、例えば、特許文献２に開示のものが提案されている。
この特許文献２に開示のものにおいては、ヒンジを介して二つ折りできる支持部材（本発明でいう支持杆に対応）をアーム部を介して開閉型フック（本発明でいう上フックに対応）に連結している。
【０００３】
また、アーム片が折り畳めるハンガーの例として、例えば、特許文献１に開示のものが提案されている。
この特許文献１に開示のものにおいて、左右のアーム（本発明でいうアーム片に対応）を折り畳むには、左右のアームを支持する支持部材に内蔵される係合部（本発明でいう係止解除駒に対応）の一対の端部を操作する必要があるが、一対の基端が支持部材の下方に突出しているものである。
【先行技術文献】
【特許文献】
【０００４】
【特許文献１】特開２０１２−３９８号公報
【特許文献２】特許第３６４４０１８号公報
【発明の概要】
【発明が解決しようとする課題】
【０００５】
しかしながら、上述した特許文献１に開示のものは、竿にかける部分の開閉型フック（本発明でいう上フックに対応）は、二つ折りできる支持部材（本発明でいう支持杆に対応）にアーム部を介して連結されており、部品点数が多くなることや竿からハンガーまでの距離が長くなり、低めの物干し場では使いづらかった。
また、折畳んで収納する時に、アーム部がハンガーに絡み易く不便であった。
【０００６】
また、上述した特許文献２に開示のものは、係合部（本発明でいう係止解除駒に対応）の両端部は、支持部材（本発明でいうハンガーの基部に対応）よりも下方に位置するので、衣類を干した状態で操作しにくい。
また、係合部（本発明でいう係止解除駒に対応）の両端部が支持部材（本発明でいうハンガーの基部に対応）よりも下方に突出しているので、衣類などが引っかかり誤動作する可能性がある。
【０００７】
本発明は、上記事情に鑑みてなされたものであり、複数のハンガー及び全体の折畳みが容易で、取り扱いも容易な折畳み式多連ハンガー具を提供することを目的とする。
【課題を解決するための手段】
【０００８】
本発明者らは、上記課題を解決するため鋭意検討したところ、中央に設けられた軸部と、該軸部に回動可能に垂直に設けられた掛支部とを設けることにより、上記課題を解決し得ることを見出し、本発明を完成するに到った。
【０００９】
すなわち、本発明は、（１）、支持杆の長手方向に直交する方向に設けられた軸部を基点に上フック部に近づく方向へ折畳み可能な支持杆と、前記軸部の軸線方向に直交する方向に回動可能に垂直に設けられた掛支部と、前記支持杆の長手方向に間隔を開けて吊り下げられた複数のハンガーとを備えた折畳み式多連ハンガー具であって、中央の前記掛支部が、その上方に上フック部を備え、その下方にグリップ兼用の下フック部を備えた折畳み式多連ハンガー具に存する。
【００１０】
本発明は、（２）、前記支持杆には、折畳み状態で前記上フック部を逃がすための逃がし長孔が長手方向に沿って形成されている上記（１）に記載の折畳み式多連ハンガー具に存する。
【００１１】
本発明は、（３）、前記支持杆は、前記上フック部を挟んだ折り畳み状態で前記上フック部を収納する収納空間を区画する前記上フック部側の面を有する上記（１）に記載の折畳み式多連ハンガー具に存する。
【００１２】
本発明は、（４）、前記上フック部と前記グリップ兼用の下フック部とは、同体化されている上記（１）に記載の折畳み式多連ハンガー具に存する。
【００１３】
本発明は、（５）、前記上フック部と前記グリップ兼用の下フック部とは、同じ向きである上記（４）に記載の折畳み式多連ハンガー具に存する。
【００１４】
すなわち、本発明は、（６）、前記複数のハンガーは、前記支持杆に係止される基部と該基部に枢着された左右のアーム片を備え、該アーム片が水平位置に仮固定可能であり、且つ、上下方向に折り畳むことができるものである上記（１）記載の折畳み式多連ハンガー具に存する。
【００１５】
本発明は、（７）、前記複数のハンガーの前記基部の上部はＵ字状に形成され、その両先端が前記支持杆に形成された係止溝に係止可能である上記（６）に記載の折畳み式多連ハンガー具に存する。
【００１６】
本発明は、（８）、前記複数のハンガーの前記基部に設けられた係止解除駒の先端部を前記アーム片の基端部に係止させることにより、前記アーム片を水平位置に仮固定する上記（６）に記載の折畳み式多連ハンガー具に存する。
【発明の効果】
【００１７】
本発明の折畳み式多連ハンガー具は、中央に設けられた軸部を基点に一方方向へ折畳み可能な支持杆と、軸部に回動可能に垂直に設けられた掛支部と、前記支持杆に間隔を開けて吊り下げられた複数のハンガーとを備えた折畳み式多連ハンガー具であって、
中央の前記掛支部が、その上方に上フック部を備え、その下方にグリップ兼用の下フック部を備えた折畳み式多連ハンガー具であるので、前記上フック部を掛ける竿から前記支持杆また、前記複数のハンガーまでの距離が短くなり、低めの物干し場でも使用することができる。
【００１８】
本発明の折畳み式多連ハンガー具は、前記軸部に回動可能に垂直に設けられた掛支部に前記グリップ兼用の下フック部を備えているので、前記グリップ兼用の下フック部を手で持ち上げることにより、高い竿に掛ける時にバランスよく持ち上げることができる。
また、前記上フック部と前記グリップ兼用の下フック部とは、同体化されているとともにその向きが同じであるので、高い竿に掛ける時に、竿に対して前記上フック部の開口部が向くようにして掛けることができ、掛けやすい。
【００１９】
前記支持杆には、折畳み状態で前記上フック部を逃がすための逃がし長孔が長手方向に沿って形成されているので、前記支持杆を二つ折りしても前記逃がし長孔内に前記上フック部が収納でき、前記支持杆を支障なく折畳むことができる。
【００２０】
前記支持杆は、前記上フック部を挟んだ折り畳み状態で前記上フック部を収納する収納空間を区画する前記上フック部側の面を有するので、前記支持杆を二つ折りしても折畳んだ前記支持杆の間に前記上フック部が収納でき、前記支持杆を支障なく折畳むことができる。
【００２１】
また、収納時には、前記グリップ兼用の下フック部を上にすることで前記支持杆が二つ折れになり、全体をコンパクトに収納できる。
【００２２】
さらに、前記複数のハンガーの各ハンガーは、前記ハンガーの前記基部を手で保持し、上方の前記Ｕ字状係止部を指で押圧すると、前記Ｕ字状係止部の弾発力に抗して前記Ｕ字状係止部の先端部が相互に近づく方向に変位し、この状態で前記Ｕ字状係止部の先端部を前記各支持杆の前記係止溝にあてがうと、前記Ｕ字状係止部の弾発力により前記係止溝に係止される。
また、逆に、前記ハンガーを前記支持杆から取り外すには、上方の前記Ｕ字状係止部を指で押圧すると、前記Ｕ字状係止部の先端部が、前記各支持杆の前記係止溝から外れ、前記ハンガーを前記支持杆から取り外すことができる。
【００２３】
前記ハンガーの前記アーム片を折り畳むには、前記基部から露出する前記係止解除駒の外面の押圧部を、指を使って押圧すると、前記係止解除駒の弾発力に抗して前記係止解除駒の先端部の前記係合溝が内側に変位し、前記アーム片の前記係止部との係止が解除される。
したがって、前記アーム片の自重により折り畳まれる。
そして、前記係止解除駒は、前記アーム片より上方に位置しているので、衣類を干した状態でも解除操作がしやすい。
また、前記係止解除駒は、その先端部が突出していないので、衣類や指による誤作動も起きにくい。
【図面の簡単な説明】
【００２４】
【図１】図１は、本発明の実施形態に係る折畳み式多連ハンガー具の斜視図である。
【図２】図２は、本発明の実施形態における軸部と支持杆と掛支部の斜視図である。
【図３】図３は、本発明の実施形態における上フック部を挟んで支持杆を折畳んだ状態の側面図である。
【図４】図４は、本発明の実施形態に係る折畳み式多連ハンガー具の正面図である。
【図５】図５は、本発明の実施形態に係る折畳み式多連ハンガー具の平面図である。
【図６】図６は、図４におけるＡ−Ａ線に沿う断面図である。
【図７】図７は、図４におけるＢ−Ｂ線に沿う断面図である。
【図８】図８は、本発明の実施形態に係る折畳み式多連ハンガー具の全ハンガーを折畳んだ状態を示す右側面図である。
【図９】図９は、本発明の実施形態に係る折畳み式多連ハンガー具の全ハンガー及び支持杆を折畳んだ状態を示す正面図である。
【発明を実施するための形態】
【００２５】
本発明の実施形態に係る折畳み式多連ハンガー具１０について説明する。
図１，図４，図７，図８，図９に示すように、折畳み式多連ハンガー具１０は、中央に設けられた軸部１１を基点に一方方向へ折畳み可能な支持杆１２と、前記軸部１１に回動可能に垂直に設けられた掛支部１３と、前記支持杆１２に間隔を開けて吊り下げられた複数のハンガー２１とを備えている。
【００２６】
まず、中央に設けられた軸部１１を基点に一方方向へ折畳み可能な支持杆１２と、前記軸部１１に回動可能に垂直に設けられた掛支部１３と、について図２、図３を参照して説明する。
図２に示すように、前記軸部１１に回動可能に垂直に設けられた掛支部１３は、上フック部１４とグリップ兼用の下フック部１５とを備えている。
掛支部１３が支持杆１２の軸部１１に直接設けられているので、上フック部を掛ける竿と支持杆１２との距離が短くなり、従来のように長くならず、竿の高さが低くても対応可能である。
上フック部１４とグリップ兼用の下フック部１５とは同体（一体）であり、同じ向きである。
同じ向きであるため、下フック部１５を握って竿等に上フック部１４を引っ掛ける時は、的が定まり易くって簡単に行える。
そして、グリップ兼用の下フック部１５には、手でグリップするときに握り易くするために指掛け用突起１５ａが形成されている。
すなわち下フック部１５を握った場合、人差し指をこの指掛け用突起１５ａに引っ掛けることで、グリップが安定するのである。
【００２７】
図３は、本発明の実施形態における上フック部１４を挟んで支持杆１２を折畳んだ状態の側面図である。
図３に示すように、グリップ兼用の下フック部１５が上方になるように支持杆１２を二つ折りすると、上フック部１４は左右の支持杆１２の間に挟まれた状態に折り畳まれる。
この場合、左右の支持杆１２の上フック部側の面が上フック部１４を収納する収納空間を区画することとなる。
【００２８】
また、左右の支持杆１２には、図１に示すように、折畳み状態で上フック部１４を逃がすための逃がし長孔１２ａが長手方向に沿って形成されている。
したがって、図９に示すように、図３の状態から掛支部１３（すなわち、上フック部１４とグリップ兼用の下フック部１５）を９０度回転された状態で、左右の支持杆１２を二つ折りすると、上フック部１４は逃がし長孔１２ａ内に収納される。
上フック部１４とグリップ兼用の下フック部１５とは同体化（一体化）されているので、一方を握って回転すると他方も同様に回転する。
掛支部１３が軸部１１に対して回動自在なので、上フック部１４を逃がし長孔１２ａに収納したり、左右の支持杆１２の上フック部側の面で区画された収納空間に収納したりすることが自由にできる。
【００２９】
また、左右の支持杆１２の両側面には、後述する複数のハンガー２１のＵ字状係止部２１ｃが係止されるための係止溝１２ｂが複数個（図示の例ではそれぞれ４個）形成されている。
【００３０】
そして、掛支部１３が備える上フック部１４とグリップ兼用の下フック部１５とは、軸部１１に対して垂直方向で回動可能に取り付けられている。
【００３１】
そして、左右の支持杆１２は、軸部１１を中心に（すなわち軸部１１を基点として）、上フック部１４側に二つ折りできるように折畳みが可能である。
なお、図２に示すように、左右の支持杆１２を直線状態に回動させた場合、左右の支持杆１２の端面どうしが当接する状態になるので、グリップ兼用の下フック部１５側に折畳まれることはない。
【００３２】
次に、本発明の実施形態に係る折畳み式多連ハンガー具１０に使用するハンガー２１について、図６、図７を参照して説明する。
【００３３】
図６、図７に示すように、ハンガー２１は、左右一対のアーム片２１ａと、左右一対のアーム片２１ａを支持する基部２１ｂと、左右一対のアーム片２１ａの各基端部の近傍を揺動自在に支持するピン２１ｅと、基部２１ｂの内部に支持される係止解除駒２２とを備えている。
【００３４】
図６、図７に示すように、左右一対のアーム片２１ａの各基端部の近傍はピン２１ｅによって基部２１ｂの下方に支持され、この各基端部には係止部２１ｄが形成されている。
また、基部２１ｂの上方には、Ｕ字状係止部２１ｃが形成されている。
また、基部２１ｂに内蔵される係止解除駒２２は、逆Ｕ字形状をしており、その両先端部には係合溝２２ａが形成され、この係合溝２２ａは左右一対のアーム片２１ａの係止部２１ｄが係止されるようになっている。
さらに、基部２１ｂから露出する係止解除駒２２の外面は指による押圧部を形成している。
【００３５】
以上の各部品は全て耐候性のあるポリプロピレンで製作されることが好ましい。
【００３６】
次に、ハンガー２１を左右の支持杆１２に着脱可能に係止する仕方について説明する。
まず、ハンガー２１の基部２１ｂを手で保持し、上方のＵ字状係止部２１ｃを指で押圧すると、Ｕ字状係止部２１ｃの弾発力に抗してＵ字状係止部２１ｃの先端部が相互に近づく方向に変位し、この状態で先端部を各支持杆１２の係止溝１２ｂにあてがうと、Ｕ字状係止部２１ｃの弾発力により係止溝１２ｂに係止される。
また、逆に、ハンガー２１を左右の支持杆１２から取り外すには、上方のＵ字状係止部２１ｃを指で押圧すると、先端部が、各支持杆１２の係止溝１２ｂから外れ、ハンガー２１を各支持杆１２から取り外すことができる。
【００３７】
次に、図６，７，８を参照して、ハンガー２１のアーム片２１ａの折畳みについて説明する。
図６に示すように、左右一対のアーム片２１ａは、その基端部がピン２１ｅにより基部２１ｂに軸支されており、その基端部の近傍の係止部２１ｄが、係止解除駒２２の係合溝２２ａに係止されて、略水平方向に支持されている。
この図６に示す左右一対のアーム片２１ａを図８に示す折畳み状態にするには、基部２１ｂから露出する係止解除駒２２の外面の押圧部を、指による押圧すると、係止解除駒２２の弾発力に抗して係止解除駒２２の先端部の係合溝２２ａが内側に変位し、アーム片２１ａの係止部２１ｄとの係止が解除される。
したがって、アーム片２１ａの自重により図８に示すように折畳まれる。
そして、係止解除駒２２は、アーム片２１ａより上方に位置しているので、衣類を干した状態でも解除操作がしやすい。
また、係止解除駒２２は、その先端部が突出していないので、衣類や指による誤作動も起きにくい。
【００３８】
次に、図９を参照して、前記支持杆１２に間隔を開けて吊り下げられた複数のハンガー２１のアーム片２１ａを折畳む手順及び前記支持杆１２を折畳む手順について説明する。
【００３９】
まず、係止解除駒２２を操作して、複数のハンガー２１のアーム片２１ａを折畳む。
次に、グリップ兼用の下フック部１５を手で持って、グリップ兼用の下フック部１５を上方に持ち上げると、折畳まれたアーム片２１ａとともに、左右の支持杆１４も軸部１１を中心に二つ折り状態に折畳まれ、図９に示すように全てが折畳まれ状態になる。
そして、グリップ兼用の下フック部１５を収納場所の竿また横パイプなどに吊り下げることができる。
【産業上の利用可能性】
【００４０】
本発明の折畳み式多連ハンガー具は、複数のハンガー及び全体の折畳みが容易で、その取り扱いも容易である。
従って、衣服等を干して乾燥させる以外にも、陳列用として或いは収納用としても使用でき極めて有用である。
【符号の説明】
【００４１】
１０  折畳み式多連ハンガー具
１１  軸部
１２  支持杆
１２ａ  逃がし長孔
１２ｂ  係止溝
１３  掛支部
１４  上フック部
１５  グリップ兼用の下フック部
１５ａ  指掛け用突起
２１  ハンガー
２１ａ  アーム片
２１ｂ  基部
２１ｃ  Ｕ字状係止部
２１ｄ  係止部
２１ｅ  ピン
２２  係止解除駒
２２ａ  係合溝
【図１】
0005266403.tif 000002
【図２】
0005266403.tif 000003
【図３】
0005266403.tif 000004
【図４】
0005266403.tif 000005
【図５】
0005266403.tif 000006
【図６】
0005266403.tif 000007
【図７】
0005266403.tif 000008
【図８】
0005266403.tif 000009
【図９】
0005266403.tif 000010